【手続補正書】
【提出日】平成26年12月2日(2014.12.2)
【手続補正１】
【補正対象書類名】明細書
【補正対象項目名】０１１５
【補正方法】変更
【補正の内容】
【０１１５】
この実施例は、８０重量パーセントのＥ−ＨＦＯ−１２３４ｚｅを含有するＥ−ＨＦＯ−１２３４ｚｅ／ＨＦＣ−１３４ａブレンド（ブレンド「Ｄ」と称される）が冷却装置でＨＦＣ−１３４ａに置き換わり得ることを実証する。さらに、ブレンドＤについてのＧＷＰは、１４３０に等しいＨＦＣ−１３４ａのＧＷＰと比べてたったの２９１であり、著しい改善を提供する。
【表８】
2014501296.tif 000001
【手続補正２】
【補正対象書類名】明細書
【補正対象項目名】０１１６
【補正方法】変更
【補正の内容】
【０１１６】
以上、本発明を要約すると下記のとおりである。
１．Ｅ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタン、を含む液体冷媒をエバポレーターで蒸発させる工程、それによって冷媒蒸気を生成する工程を含む冷却を生じ
させる方法。
２．冷却が、前記エバポレーターを含む冷却装置内で生じ、冷却媒体をエバポレーターを通過させ、それによって冷媒の前記蒸発が冷却媒体を冷却する工程、及び冷却された冷却媒体をエバポレーターから冷却しようとする物体へ通す工程をさらに含む、上記１に記載の方法。
３．冷却媒体が水であり、冷却しようとする物体が空間冷却のための空気である、上記２に記載の方法。
４．冷却媒体が工業伝熱液体であり、冷却しようとする物体が化学プロセス流である、上記２に記載の方法。
５．冷媒蒸気を遠心圧縮機内で圧縮する工程をさらに含む、上記２に記載の方法。
６．成分（ｂ）がＣＨＦ２ＣＨＦ２である、上記２に記載の方法。
７．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が０．７未満である、上記６に記載の方法。
８．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０５〜０．６８である、上記２に記載の方法。
９．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０９〜０．８２である、上記２に記載の方法。
１０．成分（ｂ）がＣＦ３ＣＨ２Ｆである、上記２に記載の方法。
１１．Ｅ−ＣＦ３ＣＨ＝ＣＨＦ及びＣＦ３ＣＨ２Ｆの総量に対するＥ−ＣＦ３ＣＨ＝ＣＨＦの質量比が０．７０未満である、上記１０に記載の方法。
１２．Ｅ−ＣＦ３ＣＨ＝ＣＨＦ及びＣ２Ｈ２Ｆ４の総量に対するＥ−ＣＦ３ＣＨ＝ＣＨＦの質量比が約０．５〜０．８２である、上記２に記載の方法。
１３．Ｅ−ＣＦ３ＣＨ＝ＣＨＦ及びＣ２Ｈ２Ｆ４の総量に対するＥ−ＣＦ３ＣＨ＝ＣＨＦの質量比が約０．６〜０．８２である、上記２に記載の方法。
１４．Ｅ−ＣＦ３ＣＨ＝ＣＨＦ及びＣ２Ｈ２Ｆ４の総量に対するＥ−ＣＦ３ＣＨ＝ＣＨＦの質量比が約０．７４〜０．８２である、上記２に記載の方法。
１５．ＨＣＦＣ−１２４またはＨＦＣ−１３４ａ冷媒を、冷媒向けにデザインされた冷却装置内で置き換える方法であって、Ｅ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタンを含む代替冷媒組成物を備え付ける工程を含む、上記方法。
１６．成分（ｂ）がＣＦ３ＣＨ２Ｆであり、Ｅ−ＣＦ３ＣＨ＝ＣＨＦ及びＣＦ３ＣＨ２Ｆの総量に対するＥ−ＣＦ３ＣＨ＝ＣＨＦの質量比が０．７０未満である、上記１５に記載の方法。
１７．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０５〜０．６８である、上記１５に記載の方法。
１８．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．０９〜０．８２である、上記１５に記載の方法。
１９．Ｅ−ＣＦ３ＣＨ＝ＣＨＦ及びＣ２Ｈ２Ｆ４の総量に対するＥ−ＣＦ３ＣＨ＝ＣＨＦの質量比が約０．５〜０．８である、上記１５に記載の方法。
２０．Ｅ−ＣＦ３ＣＨ＝ＣＨＦ及びＣ２Ｈ２Ｆ４の総量に対するＥ−ＣＦ３ＣＨ＝ＣＨＦの質量比が約０．６〜０．８である、上記１５に記載の方法。
２１．Ｅ−ＣＦ３ＣＨ＝ＣＨＦ及びＣ２Ｈ２Ｆ４の総量に対するＥ−ＣＦ３ＣＨ＝ＣＨＦの質量比が約０．７４〜０．８である、上記１５に記載の方法。
２２．成分（ｂ）がＣＦ３ＣＨ２Ｆであり、Ｅ−ＣＦ３ＣＨ＝ＣＨＦ及びＣＦ３ＣＨ２Ｆ
の総量に対するＥ−ＣＦ３ＣＨ＝ＣＨＦの質量比が約０．３〜０．８である、上記１５に記載の方法。
２３．冷却装置が、インペラーを有する遠心圧縮機を含み、該インペラーの回転速度を調整する工程をさらに含む、上記１５に記載の方法。
２４．冷却装置が、インペラーを有する遠心圧縮機を含み、圧縮機インペラーを異なる直径のインペラーで置き換える工程をさらに含む、上記１５に記載の方法。
２５．成分（ｂ）がＣＦ３ＣＨ２Ｆであり、Ｅ−ＣＦ３ＣＨ＝ＣＨＦ及びＣＦ３ＣＨ２Ｆの総量に対するＥ−ＣＦ３ＣＨ＝ＣＨＦの質量比が０．８５未満である、上記１５に記載の方法。
２６．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．１〜０．５である、上記１５に記載の方法。
２７．成分（ｂ）がＣＨＦ２ＣＨＦ２であり、Ｅ−ＣＦ３ＣＨ＝ＣＨＦ及びＣＨＦ２ＣＨＦ２の総量に対するＥ−ＣＦ３ＣＨ＝ＣＨＦの質量比が約０．１〜０．３である、上記１５に記載の方法。
２８．Ｅ−ＣＦ３ＣＨ＝ＣＨＦ及びＣ２Ｈ２Ｆ４の総量に対するＥ−ＣＦ３ＣＨ＝ＣＨＦの質量比が約０．５〜０．８２である、上記１５に記載の方法。
２９．Ｅ−ＣＦ３ＣＨ＝ＣＨＦ及びＣ２Ｈ２Ｆ４の総量に対するＥ−ＣＦ３ＣＨ＝ＣＨＦの質量比が約０．６〜０．８２である、上記１５に記載の方法。
３０．Ｅ−ＣＦ３ＣＨ＝ＣＨＦ及びＣ２Ｈ２Ｆ４の総量に対するＥ−ＣＦ３ＣＨ＝ＣＨＦの質量比が約０．７４〜０．８２である、上記１５に記載の方法。
３１．成分（ｂ）がＣＦ３ＣＨ２Ｆであり、Ｅ−ＣＦ３ＣＨ＝ＣＨＦ及びＣＦ３ＣＨ２Ｆの総量に対するＥ−ＣＦ３ＣＨ＝ＣＨＦの質量比が約０．３〜０．８２である、上記１５に記載の方法。
３２．冷却のための冷却装置であって、Ｅ−ＣＦ３ＣＨ＝ＣＨＦ及びＣ２Ｈ２Ｆ４の総量に対するＥ−ＣＦ３ＣＨ＝ＣＨＦの質量比が約０．０５〜０．９９であるという条件で；（ａ）Ｅ−ＣＦ３ＣＨ＝ＣＨＦ、及び（ｂ）式Ｃ２Ｈ２Ｆ４の少なくとも１つのテトラフルオロエタン、を含む冷媒を含む作動流体を含有する、上記装置。
３３．遠心圧縮機を含む上記３２に記載の冷却装置。
【手続補正３】
【補正対象書類名】特許請求の範囲
【補正対象項目名】全文
【補正方法】変更
【補正の内容】
【特許請求の範囲】
【請求項１】
Ｅ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタン、を含む液体冷媒をエバポレーターで蒸発させる工程、それによって冷媒蒸気を生成する工程を含む冷却を生じさせる方法であって、ここで冷却が前記エバポレーターを含む冷却装置内で生じ、そして前記冷却装置が遠心圧縮機をさらに含む、上記方法。
【請求項２】
成分（ｂ）がＣＨＦ2ＣＨＦ2である、請求項１に記載の方法。
【請求項３】
成分（ｂ）がＣＨＦ2ＣＨＦ2であり、Ｅ−ＣＦ3ＣＨ＝ＣＨＦ及びＣＨＦ2ＣＨＦ2の総量に対するＥ−ＣＦ3ＣＨ＝ＣＨＦの質量比が０.７未満である、請求項１に記載の方法。
【請求項４】
成分（ｂ）がＣＦ3ＣＨ2Ｆである、請求項１に記載の方法。
【請求項５】
Ｅ−ＣＦ3ＣＨ＝ＣＨＦ及びＣＦ3ＣＨ2Ｆの総量に対するＥ−ＣＦ3ＣＨ＝ＣＨＦの質量比が０.７０未満である、請求項４に記載の方法。
【請求項６】
ＨＣＦＣ−１２４またはＨＦＣ−１３４ａ冷媒を、冷媒向けにデザインされた冷却装置内で置き換える方法であって、Ｅ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタンを含む代替冷媒組成物を備え付ける工程を含み、ここで前記冷却装置が遠心圧縮機を含む、上記方法。
【請求項７】
遠心圧縮機が、インペラーの回転速度を調整する工程をさらに含む、インペラーを有する、請求項６に記載の方法。
【請求項８】
遠心圧縮機が、圧縮機インペラーを異なる直径のインペラーで置き換える工程をさらに含む、インペラーを有する、請求項６に記載の方法。
【請求項９】
冷却のための冷却装置であって、Ｅ−ＣＦ3ＣＨ＝ＣＨＦ及びＣ2Ｈ2Ｆ4の総量に対するＥ−ＣＦ3ＣＨ＝ＣＨＦの質量比が約０.０５〜０.９９であるという条件で；（ａ）Ｅ−ＣＦ3ＣＨ＝ＣＨＦ、及び（ｂ）式Ｃ2Ｈ2Ｆ4の少なくとも１つのテトラフルオロエタン、を含む冷媒を含む作動流体を含有し、ここで前記冷却装置が遠心圧縮機を含む、上記装置。